(57)【要約】【課題】携帯端末を用いてより身近に、優れた音色の音楽再生装置となると共に、インテリアとしても利用できる弦楽器を提供する。【解決手段】弦楽器１は、弦の振動音を共鳴させる中空の共鳴胴３を有し、共鳴胴３内に、携帯端末４からワイヤレス通信によって送信される音楽データを受信可能なアンプ３１と、アンプ３１に接続されて音を出力する一対のスピーカユニット３２ａ，３２ｂとを備える。この構成により、弦楽器１は、携帯端末４を用いてより身近に、優れた音色の音楽再生装置となると共に、インテリアとしても利用できる。【選択図】図３
2020178324.tif 000002
【特許請求の範囲】
【請求項１】
弦の振動音を共鳴させる中空の共鳴胴を有する弦楽器であって、
前記共鳴胴内に、携帯端末からワイヤレス通信によって送信される音楽データを受信可能なアンプと、前記アンプに接続されて音を出力する一対のスピーカユニットと、を備えることを特徴とする弦楽器。
【請求項２】
前記弦楽器は、音を出力するための穴部であるサウンドホールを、略箱形状の共鳴胴の上面の左右端側に２か所で有した琴であり、
前記一対のスピーカユニットの内、一のスピーカは右端側のサウンドホールの近傍に、他のスピーカは左端側のサウンドホールの近傍に配置される、ことを特徴とする請求項１記載の弦楽器。
【請求項３】
前記琴の共鳴胴の左右方向の長さが六尺の場合において、前記一のスピーカは右端から２尺、前記他のスピーカは左端から２尺の位置の共鳴胴内に配置される、ことを特徴とする請求項２記載の弦楽器。
【請求項４】
前記共鳴胴には、前記アンプに電気を供給するための電源入力端子が形成される、ことを特徴とする請求項１乃至３のいずれか一項に記載の弦楽器。
【請求項５】
弦の振動音を共鳴させる中空の共鳴胴を有する琴であって、
前記共鳴胴内に、携帯端末からワイヤレス通信によって送信される音楽データを受信可能なアンプと、前記アンプに接続されて音を出力する一対のスピーカユニットと、を備え、
前記共鳴胴は、音を出力するための穴部であるサウンドホールを、略箱形状の当該共鳴胴の上面の左右端側に２か所で有し、
前記一対のスピーカユニットの内、一のスピーカは右端側のサウンドホールの近傍に、他のスピーカは左端側のサウンドホールの近傍に配置される、ことを特徴とする琴。
【発明の詳細な説明】
【技術分野】
【０００１】
本発明は、弦楽器に関し、特に、その中でも弦の振動音を共鳴させる中空の共鳴胴を有する琴などの弦楽器に関する。
【背景技術】
【０００２】
従来より、音楽の再生にはスピーカが使用されている。スピーカは、音を表現した電気信号を、空気の振動に変えるための装置であり、一般的には四角の箱形状を有した電化製品である。
【０００３】
一方、音楽の演奏に用いられるアコースティックギター、バイオリン、チェロ、コントラバスや琴などの弦楽器は、電化製品のスピーカとは異なるその優れた音色で知られている。これは、多くの弦楽器は、弦の正弦波の振動音を共鳴させるための中空を有した共鳴胴を備えており、弦の振動音が共鳴胴で共鳴を起こすことに起因している。このため、弦楽器は、スピーカなどと比較しても音響周波数特性に優れ、音に優れた立体感を出すことが知られている。
【０００４】
そして、このような弦楽器の特徴を利用すべく、弦楽器の共鳴胴内にスピーカシステムを取り入れた装置が幾つか開示されている。例えば、弦楽器にデジタルオーディオプレーヤー出力用のアンプとスピーカーを設け、このアンプにデジタルオーディオプレーヤーが接続可能な接続端子を設け、デジタルオーディオプレーヤーを接続し再生できる弦楽器が開示されている（例えば、特許文献１参照）。また、弦楽器の共鳴胴に設けられたサウンドホールにスピーカーユニットを内側から固定し、共鳴胴内部にアンプユニットを設け、共鳴胴の裏板に音声入力端子、音量調節ツマミ、電源入力端子などを設けた弦楽器も開示されている（例えば、特許文献２参照）。
【先行技術文献】
【特許文献】
【０００５】
【特許文献１】特開２００８−２９９３０１号公報
【特許文献２】実用新案登録第３１８８２５２号公報
【発明の概要】
【発明が解決しようとする課題】
【０００６】
しかしながら、これらの上記従来例においては、弦楽器の共鳴胴には、内蔵されたアンプと外部のオーディオプレーヤとを有線で接続するための接続端子が設けられ、音楽を再生する際には必ず有線でオーディオプレーヤと共鳴胴内のアンプを接続する必要がある。このため、音楽再生の度に、有線のコードの接続が必須となり非常に煩わしいという問題がある。
【０００７】
また、近年、オーディオ機能を有するスマートフォンなどの携帯端末が広く普及しており、スマートフォンで音楽を楽しむ人達が増えている。このようなユーザニーズに合わせて、より優れた音色で音楽を再生できるスピーカ機能を有する弦楽器に需要はあるが、未だ携帯端末と非常に簡単に接続できて音楽を再生できるスピーカ機能付きの弦楽器は提供されていない。
【０００８】
さらに、箱形状のスピーカは単なる電化製品であって、インテリアとして適しない場合がある。
【０００９】
またさらに、日本の伝統の弦楽器である琴は数百年もの間、日本人に愛されてきたがその琴も近年では演奏者も少なくなり、需要が減少している。木製の琴は年数と共に傷みが生じ易く、使用をしていないと楽器としての機能を失う。このような多くの休眠状態の弦楽器（琴など）が多く現存して放置されているという問題もある。
【００１０】
本発明は、上記課題に鑑みてなされたものであり、携帯端末を用いてより身近に、優れた音色の音楽再生装置となると共に、インテリアとしても利用できる弦楽器を提供することを目的とする。
【課題を解決するための手段】
【００１１】
上記目的を達成するために本発明は、弦の振動音を共鳴させる中空の共鳴胴を有する弦楽器であって、前記共鳴胴内に、携帯端末からワイヤレス通信によって送信される音楽データを受信可能なアンプと、前記アンプに接続されて音を出力する一対のスピーカユニットと、を備えることを特徴とする。
【００１２】
この弦楽器において、前記弦楽器は、音を出力するための穴部であるサウンドホールを、略箱形状の共鳴胴の上面の左右端側に２か所で有した琴であり、前記一対のスピーカユニットの内、一のスピーカは右端側のサウンドホールの近傍に、他のスピーカは左端側のサウンドホールの近傍に配置されることが好ましい。
【００１３】
この弦楽器において、前記琴の共鳴胴の左右方向の長さが六尺の場合において、前記一のスピーカは右端から２尺、前記他のスピーカは左端から２尺の位置の共鳴胴内に配置されることが好ましい。
【００１４】
この弦楽器において、前記共鳴胴には、前記アンプに電気を供給するための電源入力端子が形成されることが好ましい。
【００１５】
上記目的を達成するために本発明は、弦の振動音を共鳴させる中空の共鳴胴を有する琴であって、前記共鳴胴内に、携帯端末からワイヤレス通信によって送信される音楽データを受信可能なアンプと、前記アンプに接続されて音を出力する一対のスピーカユニットと、を備え、前記共鳴胴は、音を出力するための穴部であるサウンドホールを、略箱形状の当該共鳴胴の上面の左右端側に２か所で有し、前記一対のスピーカユニットの内、一のスピーカは右端側のサウンドホールの近傍に、他のスピーカは左端側のサウンドホールの近傍に配置されることを特徴とする。
【発明の効果】
【００１６】
本発明に係る弦楽器は、弦の振動音を共鳴させる中空の共鳴胴を有し、共鳴胴内に、携帯端末からワイヤレス通信によって送信される音楽データを受信可能なアンプと、アンプに接続されて音を出力する一対のスピーカユニットとを備える。このため、本発明の弦楽器は、携帯端末を用いてより身近に、優れた音色の音楽再生装置となると共に、インテリアとしても利用できる。
【図面の簡単な説明】
【００１７】
【図１】本発明の実施の形態に係る弦楽器の斜視図である。
【図２】（ａ）及び（ｂ）同上弦楽器の構成を説明するための図である。
【図３】同上弦楽器の機能ブロック図である。
【発明を実施するための形態】
【００１８】
（実施の形態）
本発明の実施の形態に係る弦楽器について図面を参照して説明する。本実施の形態の説明において、弦楽器とは、琴、ギターやチェロなど、張力で張られた弦と、弦の振動音を共鳴させて音を拡大するための中空の共鳴胴を有するものである。
【００１９】
最初に、本実施の形態に係る弦楽器の構成に関して、図１及び図２を参照しながら説明する。なお、ここでは弦楽器として琴１を用いて説明を行うが、弦楽器は琴に限定されるものではない。
【００２０】
琴１は、弦２の振動音を共鳴させる中空の共鳴胴３を有し、共鳴胴３の内部に、携帯端末４からワイヤレス通信によって送信される音楽データを受信可能なアンプ３１と、アンプ３１に接続されて音を出力する一対のスピーカユニット３２ａ，３２ｂとを備える。アンプ３１とスピーカユニット３２ａ，３２ｂとは例えばスピーカケーブルを介して有線で接続される。
【００２１】
共鳴胴３には、図１に示すようなアンプ３１に電気を供給するための電源入力端子３３ａが形成される。アンプ３１は、そのスペックに依存するものであるが、図２に示すように、電源３３からの電力が定電圧化され、その後、入力電圧ＤＣ１２〜２４Ｖで電力供給を受けて、音波を表現した電気信号を増幅して弦楽器１のスピーカユニット３２ａ，３２ｂに送信する。
【００２２】
琴１は、音を出力するための穴部であるサウンドホール（琴においては、いんけつ、雲角、竜角とも呼ばれる）３ａ，３ｂを、略箱形状の共鳴胴３の上面の左右端側に２か所に有する。琴１は、右左の上面にサウンドホール３ａ，３ｂが開いており、そこから適度な低音が出る仕組みになっており、サウンドホール３ａ，３ｂは弦の音を増幅する一種のアナログ的な増幅装置として機能する。
【００２３】
一対のスピーカユニット３２ａ，３２ｂの内、一のスピーカ３２ｂは右端側のサウンドホール３ｂの近傍に、他のスピーカ３２ａは左端側のサウンドホール３ａの近傍に配置される。例えば、琴１の共鳴胴３の左右方向の長さが六尺（約182cm）の場合において、一のスピーカ３２ｂは右端から２尺（約30cm）、他のスピーカ３２ａは左端から２尺（約30cm）の位置の共鳴胴３内に配置される。ギターやチェロなど弦楽器のサウンドホールは中央部に一か所設けられているが、琴はサウンドホールが左右端側の２カ所に形成されている。このため、琴１において、より優れた音色を出すには、一対のスピーカユニット３２ａ，３２ｂの配置がより重要となる。琴１では、スピーカユニット３２ａ，３２ｂをこの配置とすることにより、スピーカユニット３２ａ，３２ｂから出力される音楽を共鳴胴３で効果的に共鳴させて、非常に優れた音色を響かせることができる。
【００２４】
ここで、アンプ３１及びスピーカユニット３２ａ，３２ｂの共鳴胴３の内部へ設置する方法は種々ある。例えば、共鳴胴３の底面側に円形や矩形状の穴部を開けて、その穴部からアンプ３１やスピーカユニット３２ａ，３２ｂを貫通させて内部に入れ、木ネジや接着剤で固定する方法がある。その他、共鳴胴３の底面や側面などの接合部分をカッターなどで切断して、共鳴胴３自体を分解してからアンプ３１及びスピーカユニット３２ａ，３２ｂを設置する方法もある。
【００２５】
共鳴胴３の材質には例えば桐を用いる。桐は柔らかく、弦２を響かせるための共鳴胴３の材質としては適していない場合もある。しかし、桐を用いることにより、スピーカユニット３２ａ，３２ｂで音楽を再生した際には、深い残響効果が出る。実際に桐を使用した琴１を試作して音楽を再生すると周波数特性は蒲鉾型の低域高域共にナローに下がり、優れた音響特性となることが分かっている。
【００２６】
次に、本実施の形態に係る弦楽器１の機能構成に関して図３を参照しながら説明する。弦楽器１は共鳴胴３内にアンプ３１及びスピーカユニット３２ａ，３２ｂを備え、アンプ３１は電源３３から電力供給を受ける。
【００２７】
弦楽器１のアンプ３１はBlue-tooth（登録商標）やWi-Fi（登録商標）接続によるワイヤレス通信によって携帯端末４から音楽データを受信する。ここで、携帯端末４とは、例えばスマートフォン、タブレット端末、携帯電話機、パソコンなどワイヤレス通信機能を有して持ち運びが可能なあらゆる端末を含むものである。携帯端末４は液晶などの表示部４１と、携帯端末４に対応した様々な音楽プレーヤを操作するためのタッチパネルやキーボードなどの操作入力部４２とを備え、ボリューム調整、音質調整などは携帯端末４の操作入力部４２で調整する。
【００２８】
近年、オーディオ機能を有するスマートフォンなどの携帯端末４が広く普及しており、スマートフォンで音楽を楽しむ人達が増えている。本実施の形態に係る弦楽器１では、ワイヤレスで携帯端末４と共鳴胴３内のアンプ３１とを接続できるので煩わしい有線のコード接続が不要となり、いつもは携帯端末４で聞いている音楽を、弦楽器１にワイヤレスで送信して高音質で手軽にいつでも楽しむことができる。また、現代はインターネットで音楽を利用することが多くあり、非常に気軽にインターネット上の音楽を弦楽器１のスピーカユニット３２ａ，３２ｂで再生することができる。また、共鳴胴３に桐を使用している琴１の場合には、特に独特の柔らかい音で再生できる。
【００２９】
次に、本実施の形態に係る弦楽器１の利用方法に関して説明する。弦楽器１を優美なインテリアスピーカとして利用して、ユーザは高音質の音楽やＢＧＭを楽しむことができる。また、弦楽器１が琴の場合には、琴の演奏の際に非常に有効となる。というのも、琴は譜面などが数名で演奏することを前提としている曲が多数であり、単独演奏が難しい。しかしながら、本実施の形態の琴１を用いることで、他のパートをスピーカーユニット３２ａ，３２ｂで再生しながら自分のパートを一緒に演奏をすることが可能となる。このように、弦楽器１では、初心者からプロの演奏まで幅広く楽しく琴の演奏ができる。
【００３０】
以上の説明のように、本実施の形態に係る弦楽器１は、弦２の振動音を共鳴させる中空の共鳴胴３を有する弦楽器１であって、共鳴胴３内に、携帯端末４からワイヤレス通信によって送信される音楽データを受信可能なアンプ３１と、アンプ３１に接続されて音を出力する一対のスピーカユニット３２ａ，３２ｂとを備える。弦楽器１が琴の場合、一対のスピーカユニット３２ａ，３２ｂの内、一のスピーカ３２ｂは右端側のサウンドホール３ｂの近傍に、他のスピーカ３２ａは左端側のサウンドホール３ａの近傍に配置される。
【００３１】
この構成により、弦楽器１は、携帯端末４を用いてより身近に、ワイヤレスで優れた音色の音楽再生装置となる共に、コードが最小限となるためにインテリアとしても利用できる。また、弦楽器１は、共鳴胴３の共鳴を利用できるため、電化製品のスピーカと比較して、より優れた音色で音楽を再生でき、且つ携帯端末４と無線で簡単に接続できて音楽を楽しむことができる。さらに、休眠状態の弦楽器１（琴など）をスピーカ機能付きの弦楽器１として再利用できる。特に、弦楽器１が琴となる場合には、琴を弾ける程度まで再生・修理を施し、スピーカーとして音楽の再生を楽しむことができ、日本の伝統技術の枠ともいえる琴をリユースして蘇らせることができ、また優美なインテリアとしても希少な存在になり得る。
【００３２】
なお、本発明は、上記各実施の形態の構成に限られず、発明の趣旨を変更しない範囲で種々の変形が可能である。例えば、アンプ３１と携帯端末４との接続はワイヤレス通信に限定されずＵＳＢケーブルなどを使用しても良い。また、アンプ３１は、携帯端末４ではなく固定式のテレビやパソコンなどからワイヤレスで音楽データを受信しても良い。
【符号の説明】
【００３３】
１  弦楽器（琴）
２  弦
３  共鳴胴
３ａ，３ｂ  サウンドホール
４  携帯端末
３１  アンプ
３２ａ，３２ｂ  スピーカユニット
３３  電源
３３ａ  電源入力端子
４１  表示部
４２  操作入力部
【図１】
2020178324.tif 000003
【図２】
2020178324.tif 000004
【図３】
2020178324.tif 000005